(57)【要約】【課題】幼児等の団扇の使用者の健康を守る団扇カバーを提供する。【解決手段】団扇カバー１００は、団扇の外周および外周付近を保護するものであり、例えば団扇覆い部１０と、固定部２０とを備える。団扇覆い部１０は、団扇の外周および外周付近を覆うものであり、例えば、表面覆い部１１と、裏面覆い部１２と、外周覆い部１３とを備える。表面覆い部１１は、団扇の外周付近の表面の所定の領域を覆うものであり、裏面覆い部１２は、団扇の外周付近の裏面の所定の領域を覆うものであり、外周覆い部１３は、団扇の外周を覆うものである。団扇覆い部１０を形成する素材として、例えば、人体に有害な成分を含まない布等、人体に無害な素材とすることが想定される。固定部２０は、団扇覆い部１０を団扇に固定するものであり、例えば弾性部材２１および弾性部材２２により構成させることが想定される。  【選択図】      図１
0003145783.tif 000002
【実用新案登録請求の範囲】
【請求項１】
団扇の外周および外周付近を覆う団扇覆い部と、
前記団扇覆い部を前記団扇に固定する固定部と
を具備することを特徴とする団扇カバー。
【請求項２】
前記団扇覆い部は、
前記団扇の外周付近の表面の所定の領域を覆う表面覆い部と、
前記団扇の外周付近の裏面の所定の領域を覆う裏面覆い部と、
前記団扇の外周を覆う外周覆い部と
を具備し、
前記表面覆い部と前記裏面覆い部と前記外周覆い部とは、一体形成していることを特徴とする請求項１記載の団扇カバー。
【請求項３】
前記固定部は、前記表面覆い部および前記裏面覆い部に取り付けられた少なくとも１つの弾性部材により構成され、前記団扇覆い部を前記団扇に装着させた際に前記少なくとも１つの弾性部材が弾性力により縮むことにより前記団扇覆い部を前記団扇に固定させることを特徴とする請求項１および請求項２記載の団扇カバー。
【請求項４】
前記団扇覆い部は、人体に無害な素材により形成されていることを特徴とする請求項１乃至請求項３記載の団扇カバー。
【考案の詳細な説明】
【技術分野】
【０００１】
本考案は、団扇を保護する団扇カバーに関する。
【背景技術】
【０００２】
団扇は幼児がよくいたずらをする用具の一つである。幼児が団扇を扱う際に、その団扇の外周および外周付近を噛むことはよくあった。しかしながら、幼児が団扇の外周および外周付近を噛むと、団扇を構成する素材によっては、幼児の健康に害を及ぼす。また、団扇の外周および外周付近が破損している場合、その破損箇所を幼児が噛むと危険である。
【０００３】
そして、従来、以下に説明する団扇があった。その団扇は、団扇の枠である団扇枠体に、袋状に形成してなる扇面部材をその団扇枠体に着脱可能に構成したものであった（例えば、特許文献１参照。）。この団扇枠体は、リング形状の枠と握り手部材とにより構成されていた。そして、扇面部材は、伸縮自在な素材により袋状に形成されており、扇面部材を団扇枠体のリング形状部分に覆い被せることにより団扇の面を形成させていた。
【特許文献１】特開２００２−１４２８２５号公報（図３）
【考案の開示】
【考案が解決しようとする課題】
【０００４】
しかしながら、上記団扇は、新たな構造の団扇である。従来からある放射状に伸びた団扇の枠に紙を張った構造の団扇を幼児がいたずらをした場合に、幼児の健康を守る対策を新たに講じる必要がある。
【０００５】
そこで、本考案は、幼児等の団扇の使用者の健康を守る団扇カバーを提供することを目的とする。
【課題を解決するための手段】
【０００６】
本考案は、上記課題を解決するためになされたものであり、本考案の団扇カバーは、団扇の外周および外周付近を覆う団扇覆い部と、上記団扇覆い部を上記団扇に固定する固定部とを具備することを特徴とするものである。これにより、団扇の外周および外周付近を保護させるという作用をもたらす。
【０００７】
また、本考案の団扇カバーにおいて、上記団扇覆い部は、上記団扇の外周付近の表面の所定の領域を覆う表面覆い部と、上記団扇の外周付近の裏面の所定の領域を覆う裏面覆い部と、上記団扇の外周を覆う外周覆い部とを具備し、上記表面覆い部と上記裏面覆い部と上記外周覆い部とは、一体形成していることを特徴とする。これにより、団扇の外周および外周付近を保護させるという作用をもたらす。
【０００８】
また、本考案の団扇カバーにおいて、上記固定部は、上記表面覆い部および上記裏面覆い部に取り付けられた少なくとも１つの弾性部材により構成され、上記団扇覆い部を上記団扇に装着させた際に上記少なくとも１つの弾性部材が弾性力により縮むことにより上記団扇覆い部を上記団扇に固定させることを特徴とする。これにより、弾性力によって団扇覆い部を団扇に固定させるという作用をもたらす。
【０００９】
また、本考案の団扇カバーにおいて、上記団扇覆い部は、人体に無害な素材により形成されていることを特徴とする。これにより、幼児等の団扇の使用者の健康を害させないという作用をもたらす。
【考案の効果】
【００１０】
本考案によれば、幼児等の団扇の使用者の健康を守ることができるという優れた効果を奏し得る。
【考案を実施するための最良の形態】
【００１１】
次に本考案の実施の形態について図面を参照して詳細に説明する。
【００１２】
図１は、本考案の実施の形態における団扇カバー１００を示す図である。本考案の実施の形態における団扇カバー１００は、団扇の外周および外周付近を保護するものであり、例えば団扇覆い部１０と、固定部２０とを備える。
【００１３】
団扇覆い部１０は、団扇の外周および外周付近を覆うものであり、例えば、表面覆い部１１と、裏面覆い部１２と、外周覆い部１３とを備える。表面覆い部１１は、団扇の外周付近の表面の所定の領域を覆うものである。また、裏面覆い部１２は、団扇の外周付近の裏面の所定の領域を覆うものである。また、外周覆い部１３は、団扇の外周を覆うものである。
【００１４】
表面覆い部１１、裏面覆い部１２および外周覆い部１３の形状として、所定の位置において切れている輪形状が想定されるが、これに限るものではなく、所定の位置において切れていない輪形状であってもよいし、その他の形状であってもよい。そして、表面覆い部１１と、裏面覆い部１２と、外周覆い部１３とは、一体形成させることが想定されるが、これに限るものではない。
【００１５】
団扇覆い部１０を形成する素材として、例えば、人体に有害な成分を含まない布等、人体に無害な素材とすることが想定されるが、これに限るものではない。団扇覆い部１０を形成する素材として、人体に無害な素材を採用した場合、幼児等が団扇カバー１００を装着した団扇の外周付近を噛んでも幼児の健康を損なうことを防止することができる。
【００１６】
固定部２０は、団扇覆い部１０を団扇に固定するものであり、例えば弾性部材２１および弾性部材２２（例えば、ゴム部材）により構成させることが想定されるが、これに限るものではない。弾性部材２１、弾性部材２２は、それぞれ表面覆い部１１、裏面覆い部１２に取り付けられる。
【００１７】
なお、表面覆い部１１および裏面覆い部１２の形状を、所定の位置において切れている輪形状とした場合、弾性部材２１、弾性部材２２は、それぞれ表面覆い部１１、裏面覆い部１２における輪形状の最内付近に取り付けることが想定される。
【００１８】
また、上記において固定部２０は２つの弾性部材（弾性部材２１および弾性部材２２）により構成されているが、所定の位置において切れていない１つの輪形状の弾性部材により構成してもよい。この場合、所定の位置において切れていない１つの輪形状の弾性部材を表面覆い部１１および裏面覆い部１２の両方に取り付ける。
【００１９】
また、固定部２０は、弾性部材を用いないその他の構成により実現してもよく、例えば表面覆い部１１および裏面覆い部１２のそれぞれに少なくとも１つのボタンを取り付け、団扇の表裏両面に少なくとも１つの上記ボタンに対応するボタン受け部を取り付ける構成により実現することができる。また、上記構成は、ボタンをマジックテープ（登録商標）に置き換えることにより実現することもできる。
【００２０】
図２は、本考案の実施の形態における団扇カバー１００を団扇２００に取り付ける様子を示す図である。団扇カバー１００を団扇２００に取り付ける際には、図２（ａ）に示すように団扇カバー１００を団扇２００の外周に嵌めこむようにして取り付ける。
【００２１】
固定部２０を図１において説明した弾性部材２１および弾性部材２２により構成した場合、団扇カバー１００を団扇２００の外周に嵌めこむと、弾性部材２１および弾性部材２２がその弾性力により縮む。これにより、団扇覆い部１０は団扇２００の外周および外周付近に押し付けられる。
【００２２】
団扇覆い部１０が団扇２００の外周および外周付近に押し付けられると、団扇覆い部１０は、図２（ｂ）に示すように団扇２００の外周および外周付近において固定されることになる。図２（ｂ）に示すように団扇カバー１００を団扇２００に装着すると、団扇２００の外周、外周付近の団扇２００の表面、および外周付近の団扇２００の裏面は、団扇覆い部１０により覆われることになる。
【００２３】
本考案の実施の形態における団扇カバー１００によれば、団扇２００の外周および外周付近を覆うため、団扇２００の外周または外周付近が破損していても、その破損箇所が団扇２００の使用者に与える危険を防止することができる。特に、外周または外周付近が破損している団扇２００を幼児が使用している場合に効果的である。また、本考案の実施の形態における団扇カバー１００によれば、幼児が団扇２００の外周および外周付近を噛んでも、幼児の健康を損なうことを防止することができる。
【００２４】
なお、以上において団扇カバー１００を団扇に適用した場合について説明したが、これに限るものではなく、団扇と同種のもの（例えば、扇子）について本考案を適用することができる。
【００２５】
なお、本考案の実施の形態は本考案を具現化するための一例を示したものであり、これに限定されるものではなく本考案の要旨を逸脱しない範囲において種々の変形を施すことができる。
【図面の簡単な説明】
【００２６】
【図１】本考案の実施の形態における団扇カバー１００を示す図である。
【図２】本考案の実施の形態における団扇カバー１００を団扇２００に取り付ける様子を示す図である。
【符号の説明】
【００２７】
１０  団扇覆い部
１１  表面覆い部
１２  裏面覆い部
１３  外周覆い部
２０  固定部
２１、２２  弾性部材
１００  団扇カバー
２００  団扇
【図１】
0003145783.tif 000003
【図２】
0003145783.tif 000004
【手続補正書】
【提出日】平成20年8月22日(2008.8.22)
【手続補正１】
【補正対象書類名】実用新案登録請求の範囲
【補正対象項目名】全文
【補正方法】変更
【補正の内容】
【実用新案登録請求の範囲】
【請求項１】
団扇の外周および外周付近を覆う団扇覆い部と、
前記団扇覆い部を前記団扇に固定する固定部と
を具備することを特徴とする団扇カバー。
【請求項２】
前記団扇覆い部は、
前記団扇の外周付近の表面の所定の領域を覆う表面覆い部と、
前記団扇の外周付近の裏面の所定の領域を覆う裏面覆い部と、
前記団扇の外周を覆う外周覆い部と
を具備し、
前記表面覆い部と前記裏面覆い部と前記外周覆い部とは、一体形成していることを特徴とする請求項１記載の団扇カバー。
【請求項３】
前記固定部は、前記表面覆い部および前記裏面覆い部に取り付けられた少なくとも１つの弾性部材により構成され、前記団扇覆い部を前記団扇に装着させた際に前記少なくとも１つの弾性部材が弾性力により縮むことにより前記団扇覆い部を前記団扇に固定させることを特徴とする請求項１又は請求項２記載の団扇カバー。
【請求項４】
前記団扇覆い部は、人体に無害な素材により形成されていることを特徴とする請求項１乃至請求項３のいずれか１項に記載の団扇カバー。